(57)【要約】  本発明は、オブジェクト（O1）と、オブジェクト（O1）を識別する検出装置（SU）とを備えるシステム（Sy）に関する。オブジェクト（O1）は、それぞれの強度の比が所定値を有する第１の場及び第２の場（F１、F2）を生成する生成器（T1、T2）を備える。検出装置（SU）は、所定値に基づいてオブジェクト（O1）を識別するよう動作する。本発明は、本発明のシステムにおいて用いる検出装置の配置に更に関する。
2008521119.tif 000002
【特許請求の範囲】
【請求項１】
オブジェクトと、前記オブジェクトを識別する検出装置とを備えるシステムであって、
前記オブジェクトが、それぞれの強度の比が所定値を有する第１の場及び第２の場を生成する生成器を備えており、
前記検出装置が、前記所定値に基づいて前記オブジェクトを識別するよう動作するシステム。
【請求項２】
請求項１記載のシステムであって、前記検出装置が、第１の場を検出する第１の場センサと第２の場を検出する第２の場センサとを備えており、前記第１の検出場と前記第２の検出場との間の比に基づいてオブジェクトの識別子を判定するよう動作するシステム。
【請求項３】
請求項２記載のシステムであって、前記検出装置は、
複数の場センサそれぞれの場センサの個別の場所における検出場をそれぞれが表す複数の検出信号を供給する複数の場センサを有する検出表面を備えた検出平面と、
前記複数の検出信号を受信して、前記複数の検出信号の少なくとも１つに依存する第１のプロセッサ信号及び前記複数の検出信号の少なくとも別の１つに依存する第２のプロセッサ信号を判定し、前記第１のプロセッサ信号を前記第２のプロセッサ信号で除算して出力信号を得るプロセッサであって、前記第１のプロセッサ信号及び前記第２のプロセッサ信号は、距離を変えるために前記検出表面に対する該オブジェクトの位置が該オブジェクトと前記複数の場センサとの間の距離の同じ累乗に伴って変わるよう選択されるプロセッサと、
前記出力信号を所定値と比較して、前記オブジェクトを識別する識別信号を供給する比較器とを備えるシステム。
【請求項４】
請求項２記載のシステムであって、前記検出装置は、第３の場を検出する第３の場センサを更に備えており、前記第３の検出場に基づいて前記第１の検出場と前記第２の検出場との間の比を補正するよう更に動作するシステム。
【請求項５】
請求項１記載のシステムであって、所定の空間配置における更なる検出装置であって、前記所定値に基づいて前記オブジェクトを識別するよう前記更なる検出装置のうちの個別の検出装置それぞれが動作する更なる検出装置を備えるシステム。
【請求項６】
請求項１記載のシステムであって、更なるオブジェクトを備えており、前記更なるオブジェクトは、それぞれの更なる強度の比が更なる所定値を有する更なる第１の場及び更なる第２の場を生成する更なる生成器を備えており、前記所定値と、前記更なる所定値は互いに異なっているシステム。
【請求項７】
請求項１記載のシステムであって、前記オブジェクトは、生成場の少なくとも一方の場の強度又は向きを変える手段を備えるシステム。
【請求項８】
請求項１記載のシステムであって、前記生成器は磁場を生成するよう構成されるシステム。
【請求項９】
請求項１記載のシステムにおいて用いるオブジェクト。
【請求項１０】
請求項６記載のシステムにおいて用いるオブジェクト及び更なるオブジェクトを備えるオブジェクト組。
【請求項１１】
請求項１記載のシステムにおいて用いる検出装置。
【請求項１２】
制御装置であって、請求項１記載のシステムを備えており、前記オブジェクトを識別する識別子を前記検出装置から受取り、電子装置を前記識別子に応じて制御するよう動作する制御部を更に備えている制御装置。
【請求項１３】
請求項１２記載の制御装置を備える電子装置。
【発明の詳細な説明】
【技術分野】
【０００１】
本発明は、オブジェクト及び検出装置を備えたシステムに関する。
【０００２】
本発明は更に、オブジェクト、オブジェクトの組、検出装置、上記システムを備えた制御装置、及び制御装置を備えた電子装置に関する。
【背景技術】
【０００３】
オブジェクトを認識するゲームは独国特許第３３０９８１７号明細書に開示されている。このゲームは、複数の競技フィールド及び複数の駒を備えた競技エリアを有する。駒それぞれは、コード化エレメントを有する。複数の競技フィールドそれぞれは、そのフィールド内のコード化エレメントからコードを検出することができるセンサを有する。センサの出力は、それによってゲームの成り行きが記憶及び／又は評価されるその信号処理装置に接続される。本願記載の実施例では、複数の競技フィールドそれぞれは、ホール・センサを有しており、複数の駒それぞれは、上記コード化エレメントである永久磁石を有している。コードは、所定長の永久磁石によって表され、それにより、ホール・センサによって所定の磁場強度が検出されることになる。各駒内の永久磁石から生じる磁場強度の検出によって駒がキャプチャされる。
【０００４】
従来技術文献に開示されたゲームでは、駒は、検出された磁場から駒を識別するように、ホール・センサに対して非常に高精度に、かつ再生可能に配置しなければならない。
【発明の開示】
【発明が解決しようとする課題】
【０００５】
本発明の目的は、検出装置と相互作用するオブジェクトを備えたシステムであって、検出装置に対するオブジェクトの位置の重要度が低いシステムを提供することである。
【課題を解決するための手段】
【０００６】
本発明によれば、この目的は、それぞれの強度の比が所定値を有する第１の場及び第２の場を生成する生成器を備えたオブジェクトと、上記所定値に基づいてオブジェクトを識別するよう動作する検出装置とをシステムが備えることによって実現される。対照的に、ポーンとしても呼ばれている従来技術の駒は、単一の場を生成する単一の磁石しか備えていない。効果的には、システムは、環境擾乱（例えば、地球の浮遊磁場）に対する感度が低い。両方の信号において等しく存在している比例した擾乱が削減される。オブジェクトは、例えば、ゲームにおいて用いられる駒であり得るか、又は駒に取り付け可能であり得る。
【０００７】
検出装置は、第１の場を検出する第１の場センサと第２の場を検出する第２の場センサとを備えるものであり、第１の検出場と第２の検出場との間の比に基づいてオブジェクトの識別子を判定するよう動作可能である。
【０００８】
検出装置は、複数の場センサそれぞれの場センサのそれぞれの場所における検出場をそれぞれが表す複数の検出信号を供給する複数の場センサを有する検出表面を備えた検出平面と、検出信号を受信して、検出信号の少なくとも１つに依存する第１のプロセッサ信号及び検出信号の少なくとも別の１つに依存する第２のプロセッサ信号を判定し、第１のプロセッサ信号を第２のプロセッサ信号で除算して出力信号を得るプロセッサであって、第１のプロセッサ信号及び第２のプロセッサ信号は、距離を変えるために検出表面に対するオブジェクトの位置が変えられるとオブジェクトと場センサとの間の距離の同じ累乗に伴って変わるよう選択されるプロセッサと、出力信号を所定値と比較して、オブジェクトを識別する識別信号を供給する比較器とを備え得る。ゲームでは、検出表面は、競技フィールドに対応し得るものであり、検出平面は、従来技術の独国特許第３３０９８１７号明細書の競技エリアに対応し得る。
【０００９】
場センサによって検出される検出場は、オブジェクトの場生成器それぞれによって生成される場の強度によって、かつ、場センサに対するオブジェクトの距離によって変わってくる。検出表面に対するオブジェクトの第１の位置では、オブジェクトによって生成される場の強度と、第１の位置と場センサとの間の距離との組み合わせによって、第１の検出信号組がもたらされる。プロセッサは、この第１の検出信号組を受信し、第１の検出信号組の検出信号の少なくとも１つに依存する第１のプロセッサ信号を判定する。更に、プロセッサは、第１の検出信号組の検出信号の少なくとも別の１つに依存する第２のプロセッサ信号を判定する。更に、プロセッサは、第１のプロセッサ信号を第２のプロセッサ信号で除算して出力信号を得る。第１のプロセッサ信号及び第２のプロセッサ信号は、オブジェクトと場センサとの間の距離の同じ累乗に伴って変わるよう選択されるので、第１のプロセッサ信号を第２のプロセッサ信号で除算すると、オブジェクトと場センサとの間の距離に対する出力信号の依存度が大きく低減される。
【００１０】
しかし、別々の場強度比を用いた別々のオブジェクトを識別することが可能である点で、出力信号は、オブジェクトの各場生成器によって生成される場の強度になお依存する。オブジェクトを識別するために、出力信号が、比較器において所定値と比較される。よって、場センサからの第２の距離に第１の距離を変えるよう同じオブジェクトを移動させた場合、センサは第２の検出信号組を供給する。例えば、第２の距離が第１の距離の半分の場合、第２の組の検出信号それぞれのレベルは、第１の距離における検出信号の対応するものそれぞれのレベルの8倍である。プロセッサはやはり前述の検出信号を第１のプロセッサ信号及び第２のプロセッサ信号に変換する。第１のプロセッサ信号及び第２のプロセッサ信号の除算を行って第２の出力信号を得る。上記除算が理由で、距離に対する依存度はほとんど何の影響もなく、第２の出力信号は第１の出力信号に（ほとんど）等しい。よって、オブジェクトと検出表面との間の距離に対する、プロセッサの出力信号の依存度の低減によって、出力信号の変動が減少し、信頼度のより高いオブジェクト識別が可能になる。
【００１１】
従来技術では、ポーンとしても呼ばれている駒は、単一の磁場を生成する単一の永久磁石を備えている。ホール・センサによるこの磁場の検出は、ホール・センサと永久磁石との間の距離によって大きく変わってくる。したがって、永久磁石とホール・センサとの間の距離を変えることによって、場合によっては駒の識別に欠点が生じる。除算によって、オブジェクトの識別に用いる出力信号変動は、本発明によるシステム内のオブジェクトと検出表面との間の距離に対してあまり重要でない。これは、オブジェクトの識別に欠点がある可能性（距離の変動によって、検出表面からの特定の同じ距離において異なる場を生成する）を大きく低減する。
【００１２】
システムの一実施例では、オブジェクトのうちの同じオブジェクトの場生成器のうちの隣接する場生成器間の場生成器距離、及び検出表面の対応する場センサ間のセンサ距離は、場センサのうちの関連した場センサと各場生成器が位置的に関係しているように選択される。例えば、一実施例では、オブジェクトは、２つの場生成器を備えており、検出表面は、第１の検出信号及び第２の検出信号を供給する２つのセンサを備える。よって、両方の検出信号が主に、場生成器のうちの対応する単一の場生成器から生じる。この実施例は、距離に対する依存度の低減を、第１の検出信号を第２の検出信号で単に除算することによって既に達成することが可能である。更なる利点は、検出表面のうちの特定の検出表面においてオブジェクトが存在していることをプロセッサの出力信号から直接判定することが可能であることである。場生成器が対応する場センサのみが検出信号をプロセッサに供給し、よって、出力信号が存在していることが、オブジェクトの存在を示すので、この更なる利点が得られる。
【００１３】
検出装置は、第３の場を検出する第３の場センサを備え得るものであり、第３の検出場に基づいて第１の検出場と第２の検出場との間の比を補正するよう更に動作する。効果的には、これによって、オブジェクトの向き／配置の変動に対するシステムの感度が減少する。
【００１４】
システムは、所定値に基づいてオブジェクトを識別するよう装置のうちの個別の装置それぞれが動作する、所定の空間配置における更なる検出装置を備え得る。効果的には、２つ以上の検出表面を有するシステムは、オブジェクトが配置される表面を示すことができる。
【００１５】
システムは更なるオブジェクトを備え得る。更なるオブジェクトは、それぞれの更なる強度の比が更なる所定値を有する更なる第１の場及び更なる第２の場を生成する更なる生成器を備えている。上記所定値と、上記更なる所定値は互いに異なっている。場生成器は、場センサのうちの同じ場センサにおいて異なる値を有する異なる検出信号を、検出表面に対して同じ位置に配置された場合に、別々のオブジェクトについて得るよう構成される。異なる検出信号は、例えば、場センサと、２つの別々のオブジェクトの場生成器の少なくとも１つとの間の距離における差から生じ得る。オブジェクトの基部は、検出表面に対して同じ距離を有する。通常、オブジェクトが検出表面上に配置された場合、オブジェクトの基部は、検出表面との接触表面と同一である。異なる検出信号は、例えば、別々のオブジェクトにおける場生成器の対応する場生成器の場強度における差からも生じ得る。これは、別々のオブジェクトをシステムが識別することができるという利点を有する。
【００１６】
オブジェクトは、生成場の少なくとも１つの場の強度又は向きを変える手段を備え得る。一実施例では、場生成器は、例えば、永久磁石であり、オブジェクトは、例えば、第１の場を生成する第１の場生成器を、第２の別の場を生成する第２の場生成器と交換することを可能にする機械式装置を備える。第２の場生成器は、例えば、より大きな場強度を有する場、又は、例えば、場の向きが異なる場を生成する。別の実施例では、場生成器の少なくとも１つは例えば、インダクタンスであり、オブジェクトは、インダクタンスによって電流を変え得る電子回路を備える。これにより、インダクタによって生成される場が変わる。よって、オブジェクトの同じ構成を用いて、オブジェクト毎に別々の場の組を生成し、それによって、別々のオブジェクトのうちの、実際に用いられるオブジェクトの識別を可能にすることができる。オブジェクトは、少なくとも２つの場生成器のうちの少なくとも１つの、その他の1つ又は複数の場生成器に対する位置を変える手段を備え得る。オブジェクトは、例えば、場生成器のうちの１つを備えており、この場生成器をいくつかの所定の位置において固定することが可能な少なくとも１つの円筒型チューブを備える。この円筒型チューブによって、例えば、少なくとも２つの場生成器のうちの１つをポーンの基部から離すか、又は前述の基部に近付け、よって、検出表面から離すか、前述の検出表面に近付けることが可能になる。少なくとも２つの場生成器の少なくとも１つの相対位置の前述の変更によって、検出信号の変動が生じる。プロセッサの出力信号の結果として生じる変動を用いてポーンを認識する。
【００１７】
生成器は、磁場を生成するよう構成することができる。磁場生成器は、比較的低コストで製造することが可能である。あるいは、生成器は、音響場、電磁場、電気場又は視覚場を生成するよう構成することができる。
【００１８】
本発明の第２の局面は、本発明のシステムを備えており、オブジェクトを識別する識別子を検出装置から受信し、識別子に応じて電子装置を制御するよう動作する制御部を更に備える制御装置を提供する。よって、制御装置は、種々の電子装置に対する汎用ユーザ・インタフェース装置として用いることが可能である。制御装置の実施例では、検出表面は、情報を表す画像を備える。制御部は、検出表面を介してオブジェクトが検出されると電子装置によって行う対象の動作を示すよう構成される。画像は、例えば、電子装置によって行う対象の動作（「記録」や「再生」等のような）を表すピクトグラムである。あるいは、画像は、家の中の部屋（「バスルーム」、「寝室」等のような）を表すピクチャであり得る。あるいは、又は更に、オブジェクト自体が情報を表し得る。オブジェクトは例えば、電子装置（ディジタル・ビデオ・ディスク・プレイヤやテレビジョン受像機のような）を表し得る。制御装置は、例えば、それぞれが電子装置を表すいくつかのオブジェクトを備え得る。検出装置は例えば、電子装置によって行う対象の動作を表すピクトグラムをそれぞれが備えるいくつかの検出表面を備え得る。ユーザが、制御したい電子装置を表すオブジェクトを選択し、「再生」という動作を表すピクトグラムを備えた検出表面にオブジェクトを置くと、制御装置は、要求される動作を示す旨の信号を選択された電子装置に送出する。
【００１９】
本発明の第３の局面は、本発明の制御装置を備える電子装置を提供する。
【発明を実施するための最良の形態】
【００２０】
本発明の前述及びその他の局面は、以下に説明する実施例から明らかであり、そうした実施例を参照しながら明らかになるであろう。
【実施例】
【００２１】
図１Aは、本発明によるシステムSyの実施例の概念図を示す。システムSyは、２つの場生成器T1、T2、及びT3、T4それぞれをともに備えた２つのオブジェクト（すなわち、第１のオブジェクトO1及び第２のオブジェクトO2）を備える。各場生成器T1、T2及びT3、T4は、場F1、F2、F3、F4それぞれを生成する。システムは更に、検出表面V1を有する検出平面SPを備える検出装置SUを備える。図１Aでは、第１のオブジェクトO1は、検出表面V1から距離dの所に配置される。検出表面V1は、第１の検出信号As1を供給する第１の場センサS1を備える。検出表面V1は、第２の検出信号As2を供給する第２の場センサS2を更に備える。各検出信号As1、As2は、場センサS1、S2のそれぞれの場所における検出場を表す。検出装置SUは、検出信号As1、As2を受信し、第１のプロセッサ信号Ap1及び第２のプロセッサ信号Ap2を生成するプロセッサPを更に備える。図１Aでは、第１のプロセッサ信号Ap1は第１の検出信号As1によって変わってくるものであり、第２のプロセッサ信号Ap2は第２の検出信号As2によって変わってくる。プロセッサPは更に、第１のプロセッサ信号Ap1を第２のプロセッサ信号Ap2で除算して第１の出力信号Op1を得る。検出装置SUは、プロセッサPから第１の出力信号Op1を受信し、所定値Cvを備える比較器Cも備える。比較器Cは、プロセッサPからの第１の出力信号Op1を所定値Cvと比較し、識別信号Iyを生成する。
【００２２】
第１のプロセッサ信号Ap1及び第２のプロセッサ信号Ap2は、オブジェクトO1の位置が、検出表面V1に対して変えられると距離dの同じ累乗に伴って変わるよう選択される。図１Aに示す構成では、第１のプロセッサ信号Ap1は第１の検出信号As1によって変わってくるものであり、第２のプロセッサ信号Ap2は第２の検出信号As2によって変わってくる。例えば、第１のプロセッサ信号Ap1及び第２のプロセッサ信号Ap2は、第１の検出信号As1及び第２の検出信号As2それぞれに線形比例する。あるいは、第１のプロセッサ信号Ap1及び第２のプロセッサ信号Ap2は、第１の検出信号As1及び第２の検出信号As2の種々の線形結合であり得る。重要なことは、第１のプロセッサ信号Ap1及び第２のプロセッサ信号Ap2の距離dの変動への依存度が同一又はほぼ同一であることである。第１のプロセッサ信号Ap1を第２のプロセッサ信号Ap2で除算して出力信号Op1を生成すると、出力信号の距離dに対する依存度は大きく低減される。
【００２３】
図１Bは、第１のオブジェクトO1が第２のオブジェクトO2によって置き換えられる概念図を示す。第２のオブジェクトO2は、フィールドF3、F4をそれぞれが生成する２つの場生成器T3、T4を備える。第２のオブジェクトO2によって生成される場F3、F4は、第１のオブジェクトO1によって生成される場F1、F2とは異なる。図１Bでは、検出表面に対して、第２のオブジェクトO2が、図１Aにおける第１のオブジェクトO1と同じ位置に（同じ距離dの所に）配置される。異なる場F3、F4が第２のオブジェクトO2によって生成されるので、第１の場センサS1は、第１の検出信号As1（図１A）とは異なる第３の検出信号As3を供給する。第２の場センサS2は、第２の検出信号As2（図１A）とは異なる第４の検出信号As4を供給する。あるいは、検出信号のうちの１つのみが異なり得る。この構成では、プロセッサPは、第３の検出信号As3によって変わってくる第１のプロセッサ信号Ap1、及び第４の検出信号As4によって変わってくる第２のプロセッサ信号Ap2を生成する。第２の出力信号Op2によって示す新たな出力信号は、（第３の検出信号As3によって生じる）第１のプロセッサ信号Ap1を（第４の検出信号As4によって生じる）第２のプロセッサ信号Ap2で除算することによって生じる。この第２の出力信号Op2は比較器Cに入力される。比較器Cは、第２の出力信号Op2を所定値Cvと比較し、識別信号Inを生成する。第２の出力信号Op2は第１の出力信号(図１A)とは異なるので、第２の出力信号Op2を所定値Cvと比較した場合に比較器によって生成される識別信号Inも異なる。別々のオブジェクトO1及びO2の識別は、センサS1が主に場F1を受信し、センサS2が主に場F2を受信する場合に改善する。
【００２４】
図１Cは、第１のオブジェクトO1と場センサS1、S2との間の距離が新たな距離d+Δdに変えられる概念図を示す。この図では、第１のオブジェクトO1によって生成される場F1、F2は、やはり、検出表面V1の場センサS1、S2によって検出される。第１のオブジェクトO1と場センサS1、S2との間の新たな距離d+Δdによって、第１の場センサS1は第５の検出信号As5をプロセッサPに供給し、第２の場センサS2は第６の検出信号As6をプロセッサPに供給する。プロセッサPによって生成される第１のプロセッサ信号Ap1は第５の検出信号As5によって変わってくるものであり、プロセッサPによって生成される第２のプロセッサ信号Ap2は第６の検出信号As6によって変わってくる。第３の出力信号Op3は、プロセッサPによって、第１のプロセッサ信号Ap1（第５の検出信号As5から生じる）を第２のプロセッサ信号Ap2（第６の検出信号As6から生じる）で除算することによって生成される。第１のプロセッサ信号Ap1が第２のプロセッサ信号Ap2で除算されると、プロセッサ信号Ap1、Ap2それぞれの距離に対する別々の依存度が大きく抑制される。よって、第３の出力信号Op3は、第１の出力信号Op1とほぼ同一である。第３の出力信号Op3が所定値Cvと比較されると、識別信号Iyは、第１の出力信号Op1が所定値Cvと比較される場合の識別信号Iy（図１A参照）に等しい。
【００２５】
図１Dは、第１のオブジェクトO1内の場生成器T2のうちの１つの位置が変えられる概念図を示す。この図では、第１のオブジェクトO1内の第２の場生成器T2が変位させられる。第２の場生成器T2のこの変位によって、第１の場センサS1は第７の検出信号As7を供給し、第２の場センサS2は第８の検出信号As8を供給する。第７の検出信号As7及び第８の検出信号As8の処理によって、先行出力信号とは異なる第４の出力信号Op4が生じる。これは、場センサS1、S2に対して、この距離の変位が場生成器T1、T2についてほぼ同じである場合に、第１のプロセッサ信号Ap1を第２のプロセッサ信号Ap2で除算することが、距離の変位に対する依存度を低減させるに過ぎないからである。図１Dに表す実施例では、第２の場生成器T2のみが変位させられ、よって、プロセッサPにより供給される第４の出力信号Op4は第１の出力信号Op1（図１A参照）とは異なる。第４の出力信号Op4を所定値Cvと比較すると、識別信号Inは、第１の出力信号Op1からの識別信号（Iyである。図１A参照）とは異なる。
【００２６】
図１Eは、検出平面SPが第２の検出表面V2を備える概念図を示す。プロセッサPが第１のプロセッサ信号Ap1及び第２のプロセッサ信号Ap2を各検出表面V1、V2から生成することを可能にするために、プロセッサPは、第１の検出信号As1及びAs2それぞれを第１の検出表面V1から、かつ、第９の検出信号As9及び第１０の検出信号As10それぞれを第２の検出表面V2から時系列に受信するための多重化装置Muを備える。プロセッサPはよって、２つの出力信号Op1、Op5を多重化装置Muのスイッチング周波数で、どちらの検出信号組が受信されるかに応じて生成する。比較器Cは次に、更に２つの識別信号Iy、Inを多重化装置Muのスイッチング周波数で、出力信号Op1、Op5のどちらが受信されるかに応じて生成する。
【００２７】
図１Fは、検出表面V1が３つのセンサS0、S1及びS2を備える概念図を示す。第１のセンサS1及び第２のセンサS2はやはり、図１Ａを参照して既に説明したように第１の検出信号As1及び第２の検出信号As2それぞれをプロセッサPに供給する。図１Fでは、プロセッサは更なる検出信号As0を第３の場センサS0から受信する。図１Fでは、第１のプロセッサ信号Ap１は例えば、第１の検出信号As1と更なる検出信号As0との間の差によって変わってくる。第２のプロセッサ信号Ap２は例えば、第２の検出信号As2と更なる検出信号As0との間の差によって変わってくる。第６の出力信号Op6は、第１のプロセッサ信号Ap1を第２のプロセッサ信号Ap2で除算することによってもたらされる。第１のプロセッサ信号Ap1及び第２のプロセッサ信号Ap2はこの図で違ったふうに規定されているように、第１のオブジェクトO1を識別するためにプロセッサPの第６の出力信号Op6と比較される所定値も、新たな所定値Cv6に変える必要がある。第６の出力信号Op6を新たな所定値Cv6と比較することによって、第１の出力信号Op1（図１A参照）からの識別信号と同一の識別信号Iyがもたらされる。
【００２８】
図１Gは、各センサS1、S2からの検出信号As1、As2が単一の場生成器F1、F2それぞれについて主にもたらされる概念図を示す。場生成器F1、F2、F3、F4と比較すれば、この図に示すオブジェクトO1、O2は大きい。これによって、第１の場生成器F1の場が第１のセンサS1によって検出され、第２の場生成器F2の場が第２のセンサS2によって検出されるような、第１のオブジェクトO1内の場センサF1、F2の配置が可能になる。すなわち、場生成器F2は第１のセンサF1における場生成器F1よりもずっと小さい場強度を有しており、場生成器F1は第２のセンサF2における場生成器F2よりもずっと小さい場強度を有している。検出信号が単一の場生成器から全面的にもたらされ、種々のオブジェクトの最適な識別が可能であるという利点をこの実施例は有する。
【００２９】
図２は、ゲームGaに適用された場合のシステムの実現形態を示す。ゲームは、２つの場生成器T11、T12を備えた第１のオブジェクトCo1、２つの場生成器T21、T22を備えた第２のオブジェクトCo2、２つの場生成器T31、T32を備えた第３のオブジェクトPi3、及び２つの場生成器T41、T42を備えた第４のオブジェクトDu4を備える。ゲームは、いくつかの検出表面Vg1、Vg2、Vg3、Vg4、Vg5を有する検出表面Spを更に備える。各検出表面は、プロセッサPに（例えば、多重化装置を介して）、又はプロセッサPの複数の入力（図示せず）に検出信号を供給することが可能な２つの場センサ組を備える。プロセッサPは、受信検出信号から２つのプロセッサ信号を生成し、前述のように２つのプロセッサのうちの一方のプロセッサ信号を２つのプロセサのうちの第２のプロセッサ信号で除算する。プロセッサPの出力は、図１A乃至図１Gを参照して説明したように少なくとも１つの所定値（図示せず）と比較器Cにおいて比較される。プロセッサP及び比較器Cは何れも、ゲームの成り行きを制御するゲーム制御装置Gcの一部である。ゲーム制御装置Gcは、オブジェクトが識別される検出表面を示すための指示回路IUを更に備える。
【００３０】
図２に表すゲームは、物語ゲームGaを表す。検出平面Spは農園を表す。検出平面Spでは、いくつかの場所を規定している。各場所は検出表面Vg1、Vg2、Vg3、Vg4、Vg5を備える。第１の場所は第１のゲーム検出表面Vg１を備えており、第２の場所は第２のゲーム検出表面Vg２を備えており、第３の場所は第３のゲーム検出表面Vg３を備えており、第４の場所は第４のゲーム検出表面Vg４を備えており、第５の場所は第５のゲーム検出表面Vg５を備えている。オブジェクト（例えば、第１のオブジェクトCo1）が第２の場所に配置されると、第２のゲーム検出表面は検出信号組をプロセッサPに供給する。プロセッサPは、第１のオブジェクトCo1に対応する出力信号を生成する。この出力信号と、所定値Cv(図示せず)との比較によって、ゲーム制御装置Gcが第１のオブジェクトCo1を認識し、所定のやり方で応答することが可能になる。更に、ゲ―ム制御装置Gcは、第１のオブジェクトCo1が配置される検出表面Vg1、Vg2、Vg3、Vg4、Vg5を識別する構成を有し得るものであり、所定の応答においてこの更なる情報を用いることができる。ゲームの実施例では、各オブジェクトCo1、Co2、Pi3、Du4は、前方場生成器T１２、T２１、T３１、T４１、及び後方場生成器T１１、T２２、T３２、T４２を備える。各オブジェクト内では、例えば前方場生成器T１２、T２１、T３１、T４１の磁場の向きは常に、検出表面から離れる方向を指し示し、後方場生成器T１１、T２２、T３２、T４２の向きは常に、検出表面に近付く方向を指し示す。ゲーム制御装置Gcが個々の検出信号の向きを検出することが可能である場合、ゲームGaは、オブジェクトが、検出平面SPの一方側を指し示すその後方場生成器を有しているか否かを判定することができる。
【００３１】
図３は、照明管制Clの制御装置に適用された場合のシステムの実現形態を示す。図示した照明管制Clにおける検出平面SPは、家の中の場所を表す６つの検出表面（Vc1、Vc2、Vc3、Vc4、Vc5、Vc6）を備える。オブジェクトOm1及びOm2はユーザAを表し、オブジェクトOm3、Om4はユーザBを表す。種々のオブジェクトは例えば、特定のユーザの現在のムードを示し得る。照明管制は、前述のようなプロセッサP、比較器C及び指示装置IUを有する制御装置Cuを更に備える。制御装置Cuの出力は、家じゅうの電球L1乃至L4に接続される。ユーザAは、自らのムードを表すオブジェクトOm1、Om2を、検出平面SPの検出表面Vc1、Vc2、Vc3、Vc4、Vc5、Vc6のうちの１つに配置することが可能である。それによって、家の中の選択された場所において照明が起動される。用いられるムードのオブジェクトに対応する選択された場所での照明の特定の設定をユーザがプログラムした場合、制御装置は、ユーザAのムードOm1、Om2を表すオブジェクトを認識し、家の中の選択された場所において所定の設定を施す。
【００３２】
図４は、家電システムCdに適用された場合のシステムの実現形態を示す図である。家電システムCd内の検出平面SPは、電子装置の動作を表す６つの検出表面Vd1、Vd2、Vd3、Vd4、Vd5、Vd6を備える。例えば、第３の検出表面Vd3は電子装置の再生機能を表し、第６の検出表面Vd6は電子装置の停止機能を表す。家電システムは、４つのオブジェクトDe1、De2、De3、De4を更に備える。各オブジェクトは、別の電子装置を表す、例えば、第１のオブジェクトDe1はテレビジョン受像機を表し、第４のオブジェクトDe4はパソコンを表す。家電システムは、他の図を参照して説明したようなプロセッサP、比較器C及び指示装置IUを更に備える。特定の電子装置、例えば、DVDプレイヤを起動したいユーザは、第２のオブジェクトDe2を第３の検出表面Vd3に配置する（DVDプレイヤにおける再生機能を起動させなければならない旨を示す）。家電システムCdの制御装置Cuは、第３の検出表面Vd3における第２のオブジェクトDe2を認識し、適切な信号を適切な電子装置に送出する。同時に、例えば、VCRが、DVDプレイヤからの信号を記録しなければならない場合、ユーザは、VCRを表す第３のオブジェクトDe3を第５の検出表面Vd5に配置する（VCRは記録しなければならない旨を示す）だけでよい。家電システムCdの制御装置Cuは次に、第５の検出表面Vd5における第３のオブジェクトDe3も認識し、適切な信号を適切な電子装置に送出する。
【００３３】
上記実施例は本発明を限定するよりも例証するものであり、特許請求の範囲記載の範囲から逸脱することなく別の多くの実施例を当業者が企図することができるであろう。
【００３４】
特許請求の範囲では、括弧内にある参照符号は何れも、本特許請求の範囲を限定するものとして解釈されないものとする。「comprise」の動詞及びその活用形を用いていることは、特許請求の範囲記載のもの以外の構成要素又は工程が存在することを排除するものでない。構成要素に冠詞「a」又は「an」が先行していることは、前述の構成要素が複数存在することを排除するものでない。本発明は、別個のいくつかの構成要素を備えるハードウェアによって、かつ、適切にプログラムされるコンピュータによって実施することができる。いくつかの手段を列挙した装置クレームでは、これらの手段のいくつかを、同一のハードウェア・アイテムによって実施することができる。単に特定の方策が互いに別々の従属請求項に記載されていることは、こうした方策の組み合わせを利用することができないことを示すものでない。
【図面の簡単な説明】
【００３５】
【図１Ａ】本発明によるシステムの実施例の概念図である。
【図１Ｂ】第１のオブジェクトが第２のオブジェクトによって置き換えられる概念図である。
【図１Ｃ】第１のオブジェクトと場センサとの間の距離が新たな距離に変えられる概念図である。
【図１Ｄ】第１のオブジェクト内の場生成器のうちの１つの位置が変えられる概念図である。
【図１Ｅ】検出平面が第２の検出表面を備える概念図である。
【図１Ｆ】検出表面が第３のセンサを備える概念図である。
【図１Ｇ】場センサからの検出信号が主に、単一の場生成器から生じる概念図である。
【図２】ゲームに適用された場合のシステムの実現形態を示す図である。
【図３】照明管制用制御装置に適用された場合のシステムの実現形態を示す図である。
【図４】家電装置に適用された場合のシステムの実現形態を示す図である。
【図１Ａ】
2008521119.tif 000003
【図１Ｂ】
2008521119.tif 000004
【図１Ｃ】
2008521119.tif 000005
【図１Ｄ】
2008521119.tif 000006
【図１Ｅ】
2008521119.tif 000007
【図１Ｆ】
2008521119.tif 000008
【図１Ｇ】
2008521119.tif 000009
【図２】
2008521119.tif 000010
【図３】
2008521119.tif 000011
【図４】
2008521119.tif 000012
【国際調査報告】
2008521119.tif 000013
2008521119.tif 000014
2008521119.tif 000015